(57)【要約】【課題】高温再生器を腐食させること無く、冷房運転時及び暖房運転時における効率を向上することが出来る吸収冷温水機の提供。【解決手段】吸収器（１）と、高温再生器（２）と、中温再生器（３）と、低温再生器（４）と、これらを連通する吸収溶液系統と、凝縮器（５）と、蒸発器（６）とを有し、吸収溶液系統（Ｌ１〜Ｌ７、Ｌ１１〜Ｌ１４）には、中温再生器（３）を経由する系統（Ｌ２）と中温再生器（３）をバイパスするバイパス系統（Ｌ３）と該２つの系統（中温再生器を連通する系統Ｌ２とバイパス系統Ｌ３）を切り換える第１の切換手段（例えば開閉弁Ｖ１、Ｖ２）とが設けられていることを特徴としている。【選択図】  図１
2005274080.tif 000002
【特許請求の範囲】
【請求項１】
吸収器と、高温再生器と、中温再生器と、低温再生器と、これらを連通する吸収溶液系統と、凝縮器と、蒸発器とを有し、吸収溶液系統には、中温再生器を経由する系統と中温再生器をバイパスするバイパス系統と該２つの系統を切り換える第１の切換手段とが設けられていることを特徴とする吸収冷温水機。
【請求項２】
冷房運転時は吸収溶液系統は中温再生器を経由し、暖房運転時は吸収溶液系統は中温再生器をバイパスする様に、第１の切換手段を制御する制御手段を備えている請求項１の吸収冷温水機。
【請求項３】
吸収器と、高温再生器と、中温再生器と、低温再生器と、これらを連通する吸収溶液系統と、凝縮器と、蒸発器とを有し、吸収溶液系統には、中温再生器を経由する系統と中温再生器をバイパスするバイパス系統と該２つの系統を切り換える第１の切換手段とが設けられており、吸収器及び凝縮器に連通して循環する冷却水ラインと、蒸発器に連通して循環する冷水ラインと、冷却水ライン又は冷水ラインを流れる冷却水又は冷水と低温未利用水とで熱交換を行なう様に構成されている第１の熱交換器と、冷却水ライン又は冷水ラインを流れる冷却水又は冷水と熱的負荷とで熱交換を行なう様に構成されている第２の熱交換器と、冷却水ラインと冷水ラインと第１の熱交換器と第２の熱交換器とを連通する配管系とを有し、該配管系における流体の流れを調整する第２の切換手段が介装されていることを特徴とする吸収冷温水機。
【請求項４】
冷房運転時は、吸収溶液系統は中温再生器を経由し、冷却水ラインは第１の熱交換器と連通し且つ冷水ラインは第２の熱交換器と連通し、暖房運転時は、吸収溶液系統は中温再生器をバイパスし、冷水ラインは第１の熱交換器を連通し且つ冷却水ラインは第２の熱交換器と連通する様に、第１の切換手段及び第２の切換手段を制御する制御手段を備えている請求項３の吸収冷温水機。
【請求項５】
高温再生器と、低温再生器と、凝縮器と、蒸発器と、吸収器と、吸収器及び凝縮器に連通して循環する冷却水ラインと、蒸発器に連通して循環する冷水ラインと、冷却水ライン又は冷水ラインを流れる冷却水又は冷水と低温未利用水とで熱交換を行なう様に構成されている第１の熱交換器と、冷却水ライン又は冷水ラインを流れる冷却水又は冷水と熱的負荷とで熱交換を行なう様に構成されている第２の熱交換器と、冷却水ラインと冷水ラインと第１の熱交換器と第２の熱交換器とを連通する配管系とを有し、該配管系における流体の流れを調整する開閉手段が介装されていることを特徴とする吸収冷温水機。
【請求項６】
冷房運転時は冷却水ラインは第１の熱交換器と連通し且つ冷水ラインは第２の熱交換器と連通し、暖房運転時は冷水ラインは第１の熱交換器と連通し且つ冷却水ラインは第２の熱交換器と連通する様に、開閉手段を制御する制御手段を備えている請求項５の吸収冷温水機。
【発明の詳細な説明】
【技術分野】
【０００１】
本発明は、吸収冷温水機に関する。
【背景技術】
【０００２】
吸収冷温水機は、夏場は吸収式冷凍機として蒸発器から冷房負荷に対して冷水を供給し、冬場は吸収式ヒートポンプとしてその冷却水を温水として供給している。
【０００３】
吸収冷温水機の効率を向上し、高温再生器における腐食を防止するため、夏場は二重効用で運転して、冬場は単効用で運転するタイプのものが存在する（例えば、特許文献１）。
しかし、係る従来技術においては、効率をさらに向上したいという要請に応えることが出来ない、という問題が存在する。
【特許文献１】特開平６−５０６２６号公報
【発明の開示】
【発明が解決しようとする課題】
【０００４】
本発明は上述した従来技術の問題点に鑑みて提案されたものであり、高温再生器を腐食させること無く、冷房運転時及び暖房運転時における効率を向上することが出来る吸収冷温水機の提供を目的としている。
【課題を解決するための手段】
【０００５】
発明者は、下水処理水や河川水等の、いわゆる「低温未利用エネルギー」と総称される低温水（本明細書では、「低温未利用水」と総称する）は、夏場でも２５℃〜２８℃程度までしか昇温せず、一方、冬場には５℃〜１２℃程度の温度レベルを維持することに着目した。
【０００６】
本発明の吸収冷温水機（例えば、図１〜図３で示す吸収冷温水機Ｍ１）は、吸収器（１）と、高温再生器（２）と、中温再生器（３）と、低温再生器（４）と、これらを連通する吸収溶液系統と、凝縮器（５）と、蒸発器（６）とを有し、吸収溶液系統（例えば、図１〜図３で示す吸収冷温水機Ｍ１では、ラインＬ１、Ｌ１１〜Ｌ１４）には、中温再生器（３）を経由する系統（Ｌ１１、Ｌ１２）と中温再生器（３）をバイパスするバイパス系統（Ｌ１３）と該２つの系統（例えば、図１〜図３で示す吸収冷温水機Ｍ１では、中温再生器を連通する系統Ｌ１１、Ｌ１２と、バイパス系統Ｌ１３）を切り換える第１の切換手段（例えば開閉弁Ｖ４）とが設けられていることを特徴としている（請求項１）。
【０００７】
本発明において、冷房運転時は、吸収溶液系統は中温再生器（３）を経由（例えば、図１〜図３で示す吸収冷温水機Ｍ１では、Ｌ１１、Ｌ１２：図２の状態）し、暖房運転時は、吸収溶液系統は中温再生器をバイパス（例えば、図１〜図３で示す吸収冷温水機Ｍ１では、Ｌ１３経由：図３の状態）する様に、第１の切換手段（例えば開閉弁Ｖ４）を制御する制御手段を備えているのが好ましい（請求項２）。
【０００８】
上述した本発明の吸収冷温水機（請求項１、２）の運転方法は、吸収器（１）と、高温再生器（２）と、中温再生器（３）と、低温再生器（４）と、これらを連通する吸収溶液系統（例えば、図１〜図３で示す吸収冷温水機Ｍ１では、Ｌ１、Ｌ１１〜Ｌ１４）と、凝縮器（５）と、蒸発器（６）とを有し、吸収溶液系統（Ｌ１、Ｌ１１〜Ｌ１４）には、中温再生器（３）を経由する系統（Ｌ１１、Ｌ１２）と中温再生器をバイパスするバイパス系統（Ｌ１３）と該２つの系統（例えば、図１〜図３で示す吸収冷温水機Ｍ１では、中温再生器を連通する系統Ｌ１１、Ｌ１２とバイパス系統Ｌ１３）を切り換える第１の切換手段（例えば開閉弁Ｖ４）とが設けられている吸収冷温水機（例えば、図１〜図３で示す吸収冷温水機Ｍ１）の運転方法において、冷房運転時は、吸収溶液系統（Ｌ１、Ｌ１１〜Ｌ１４）は中温再生器（３）を経由（Ｌ１１、Ｌ１２：図２で示す状態）し、暖房運転時は、吸収溶液系統（Ｌ１、Ｌ１１〜Ｌ１４）は中温再生器（３）をバイパス（Ｌ１３：図３で示す状態）する様に構成されていることを特徴とする。
【０００９】
本発明の吸収冷温水機（例えば、図７〜図９で示す吸収冷温水機Ｍ４）は、吸収器（１）と、高温再生器（２）と、中温再生器（３）と、低温再生器（４）と、これらを連通する吸収溶液系統（例えば、図７〜図９で示す吸収冷温水機Ｍ４では、Ｌ１、Ｌ１１〜Ｌ１４）と、凝縮器（５）と、蒸発器（６）とを有し、吸収溶液系統（Ｌ１、Ｌ１１〜Ｌ１４）には、中温再生器（３）を連通する系統（Ｌ１１、Ｌ１２）と中温再生器（３）をバイパスするバイパス系統（Ｌ１３）と該２つの系統（例えば、図７〜図９で示す吸収冷温水機Ｍ４では、中温再生器を連通する系統Ｌ１１、Ｌ１２とバイパス系統Ｌ１３）を切り換える第１の切換手段（例えば開閉弁Ｖ４）とが設けられており、吸収器（１）及び凝縮器（５）に連通して循環する冷却水ライン（Ｌｗ）と、蒸発器（６）に連通して循環する冷水ライン（Ｌａ）と、冷却水ライン（Ｌｗ）又は冷水ライン（Ｌａ）を流れる冷却水又は冷水と低温未利用水（下水処理水や河川水等Ｗｒ）とで熱交換を行なう様に構成されている第１の熱交換器（７）と、冷却水ライン（Ｌｗ）又は冷水ライン（Ｌａ）を流れる冷却水又は冷水と熱的負荷（冷房負荷又は暖房負荷：例えば、空調を行なうべき室内）とで熱交換を行なう様に構成されている第２の熱交換器（室内ユニット８）と、冷却水ライン（Ｌｗ）と冷水ライン（Ｌａ）と第１の熱交換器（７）と第２の熱交換器（８）とを連通する配管系（ラインＬＢ１〜ＬＢ４）とを有し、該配管系（ラインＬＢ１〜ＬＢ４）における流体の流れを調整する第２の切換手段（例えば開閉弁Ｖｗ１、Ｖｗ２、Ｖａ１、Ｖａ２；ＶＢ１〜ＶＢ４）が介装されていることを特徴としている（請求項３）。
【００１０】
本発明において、冷房運転時（例えば、図７〜図９で示す吸収冷温水機Ｍ４では、図８で示す状態）は、吸収溶液系統（例えば、図７〜図９で示す吸収冷温水機Ｍ４では、Ｌ１、Ｌ１１〜Ｌ１４）は中温再生器（３）を経由（Ｌ１１、Ｌ１２）し、冷却水ライン（Ｌｗ）は第１の熱交換器（７）と連通し且つ冷水ライン（Ｌａ）は第２の熱交換器（８）と連通し、暖房運転時（例えば、図７〜図９で示す吸収冷温水機Ｍ４では、図９で示す状態）は、吸収溶液系統（Ｌ１、Ｌ１１〜Ｌ１４）は中温再生器（３）をバイパス（Ｌ１３）し、冷水ライン（Ｌａ）は第１の熱交換器（７）と連通し且つ冷却水ライン（Ｌｗ）は第２の熱交換器（８）と連通する様に、第１の切換手段（Ｖ１〜Ｖ４）及び第２の切換手段（例えば開閉弁Ｖｗ１、Ｖｗ２、Ｖａ１、Ｖａ２；ＶＢ１〜ＶＢ４）を制御する制御手段を備えているのが好ましい（請求項４）。
【００１１】
上述した本発明の吸収冷温水機（請求項３、４）の運転方法は、吸収器（１）と、高温再生器（２）と、中温再生器（３）と、低温再生器（４）と、これらを連通する吸収溶液系統（例えば、図７〜図９で示す吸収冷温水機Ｍ４では、Ｌ１、Ｌ１１〜Ｌ１４）と、凝縮器（５）と、蒸発器（６）とを有し、吸収溶液系統（Ｌ１〜Ｌ７、Ｌ１１〜Ｌ１４）には、中温再生器（３）を連通する系統（Ｌ１１、Ｌ１２）と中温再生器（３）をバイパスするバイパス系統（Ｌ１３）と該２つの系統（例えば、図７〜図９で示す吸収冷温水機Ｍ４では、中温再生器を連通する系統Ｌ１１、Ｌ１２とバイパス系統Ｌ１３）を切り換える第１の切換手段（例えば開閉弁Ｖ４）とが設けられており、吸収器（１）及び凝縮器（５）に連通して循環する冷却水ライン（Ｌｗ）と、蒸発器（６）に連通して循環する冷水ライン（Ｌａ）と、冷却水ライン（Ｌｗ）又は冷水ライン（Ｌａ）を流れる冷却水又は冷水と低温未利用水（下水処理水や河川水等Ｗｒ）とで熱交換を行なう様に構成されている第１の熱交換器（７）と、冷却水ライン（Ｌｗ）又は冷水ライン（Ｌａ）を流れる冷却水又は冷水と熱的負荷（冷房負荷又は暖房負荷：例えば、空調を行なうべき室内）とで熱交換を行なう様に構成されている第２の熱交換器（８）と、冷却水ライン（Ｌｗ）と冷水ライン（Ｌａ）と第１の熱交換器（７）と第２の熱交換器（８）とを連通する配管系（第１のラインＬＢ１〜第４のラインＬＢ４）とを備えている吸収冷温水機の運転方法において、冷房運転時（例えば、図７〜図９で示す吸収冷温水機Ｍ４では、図８で示す状態）は、吸収溶液系統（Ｌ１、Ｌ１１〜Ｌ１４）は中温再生器（３）を経由（Ｌ１１、Ｌ１２）し、冷却水ライン（Ｌｗ）は第１の熱交換器（７）と連通し且つ冷水ライン（Ｌａ）は第２の熱交換器（８）と連通し、暖房運転時（例えば、図７〜図９で示す吸収冷温水機Ｍ４では、図９で示す状態）は、吸収溶液系統（Ｌ１、Ｌ１１〜Ｌ１４）は中温再生器（３）をバイパス（Ｌ１３）し、冷水ライン（Ｌａ）は第１の熱交換器（７）と連通し且つ冷却水ライン（Ｌｗ）は第２の熱交換器（８）と連通していることを特徴とする。
【００１２】
本発明の吸収冷温水機（例えば、図１２〜図１４で示す吸収冷温水機Ｍ７）は、高温再生器（２）と、低温再生器（４）と、凝縮器（５）と、蒸発器（６）と、吸収器（１）と、吸収器（１）及び凝縮器（５）に連通して循環する冷却水ライン（Ｌｗ）と、蒸発器（６）に連通して循環する冷水ライン（Ｌａ）と、冷却水ライン（Ｌｗ）又は冷水ライン（Ｌａ）を流れる冷却水又は冷水と低温未利用水（下水処理水や河川水等Ｗｒ）とで熱交換を行なう様に構成されている第１の熱交換器（７）と、冷却水ライン（Ｌｗ）又は冷水ライン（Ｌａ）を流れる冷却水又は冷水と熱的負荷（冷房負荷又は暖房負荷：例えば、空調を行なうべき室内）とで熱交換を行なう様に構成されている第２の熱交換器（８）と、冷却水ライン（Ｌｗ）と冷水ライン（Ｌａ）と第１の熱交換器（７）と第２の熱交換器（８）とを連通する配管系（第１のラインＬＢ１〜第４のラインＬＢ４）とを有し、該配管系における流体の流れを調整する開閉手段（例えば開閉弁Ｖｗ１、Ｖｗ２、Ｖａ１、Ｖａ２；ＶＢ１〜ＶＢ４）が介装されていることを特徴としている（請求項５）。
【００１３】
本発明において、冷房運転時（例えば、図１２〜図１４で示す吸収冷温水機Ｍ７では、図１３で示す状態）は冷却水ライン（Ｌｗ）は第１の熱交換器（７）と連通し且つ冷水ライン（Ｌａ）は第２の熱交換器（８）と連通し、暖房運転時（例えば、図１２〜図１４で示す吸収冷温水機Ｍ７では、図１４で示す状態）は冷水ライン（Ｌａ）は第１の熱交換器（７）と連通し且つ冷却水ライン（Ｌｗ）は第２の熱交換器（８）と連通する様に、開閉手段（例えば開閉弁Ｖｗ１、Ｖｗ２、Ｖａ１、Ｖａ２；ＶＢ１〜ＶＢ４）を制御する制御手段を備えているのが好ましい（請求項６）。
【００１４】
上述した本発明の吸収冷温水機（請求項５、６）の運転方法は、高温再生器（２）と、低温再生器（４）と、凝縮器（５）と、蒸発器（６）と、吸収器（１）と、吸収器（１）及び凝縮器（５）に連通して循環する冷却水ライン（Ｌｗ）と、蒸発器（６）に連通して循環する冷水ライン（Ｌａ）と、冷却水ライン（Ｌｗ）又は冷水ライン（Ｌａ）を流れる冷却水又は冷水と低温未利用水（下水処理水や河川水等Ｗｒ）とで熱交換を行なう様に構成されている第１の熱交換器（７）と、冷却水ライン（Ｌｗ）又は冷水ライン（Ｌａ）を流れる冷却水又は冷水と熱的負荷（冷房負荷又は暖房負荷：例えば、空調を行なうべき室内）とで熱交換を行なう様に構成されている第２の熱交換器（８）と、冷却水ライン（Ｌｗ）と冷水ライン（Ｌａ）と第１の熱交換器（７）と第２の熱交換器（８）とを連通する配管系（第１のラインＬＢ１〜第４のラインＬＢ４）とを有し、冷房運転時（例えば、図１２〜図１４で示す吸収冷温水機Ｍ７では、図１３で示す状態）は冷却水ライン（Ｌｗ）は第１の熱交換器（７）と連通し且つ冷水ライン（Ｌａ）は第２の熱交換器（８）と連通し、暖房運転時（例えば、図１２〜図１４で示す吸収冷温水機Ｍ７では、図１４で示す状態）は冷水ライン（Ｌａ）は第１の熱交換器（７）と連通し且つ冷却水ライン（Ｌｗ）は第２の熱交換器（８）と連通している。
【発明の効果】
【００１５】
発明において、冷房運転時（夏場）には三重効用、暖房運転時（冬場）は二重効用と、運転パターンが変更される。
すなわち、夏場或いは冷房運転時は効率が高い三重効用運転を行ない、冬場或いは暖房運転時は、二重効用運転に切り換えることで、高温再生器の温度が上昇し過ぎて腐食の問題が生じることを防止する。
【００１６】
勿論、冷房運転時も暖房運転時も共に二重効用としても良い。
【００１７】
本発明の吸収冷温水機は、夏場は吸収冷凍機として作動し、暖房時はヒートポンプとして作動する。
冬場、すなわち暖房時は、下水処理水等の低温未利用水（Ｗｒ）から熱を貰い、夏場、すなわち冷房時は、下水処理水等の低温未利用水（Ｗｒ）に熱を捨てている。
【００１８】
低温未利用水（Ｗｒ）は、冬場は蒸発器（６）へ供給される熱源水として利用され、夏場は（冷水を冷凍負荷へ供給するので）吸収器（１）及び凝縮器（５）へ供給される冷却水として低温未利用水（Ｗｒ）を使用している。
換言すれば、ヒートポンプの熱源水（冬場：暖房運転時）か、或いは、吸収冷凍機の冷却水（夏場：冷房運転時）として、低温未利用水（Ｗｒ）を利用している。
上述したように、低温未利用水（Ｗｒ）、例えば下水処理水は、夏場でも２５℃程度しか昇温しない。したがって、係る低温未利用水（Ｗｒ）、例えば下水処理水を冷却水として利用すれば、冷却水温度が下がり、吸収冷凍機の高効率化がはかれると共に、高温再生器の温度上昇を緩和する。
一方、低温未利用水（Ｗｒ）、例えば下水処理水は冬場では１２℃程度の温度レベルを維持するので、冬場の熱源として外気に代えて低温未利用水（Ｗｒ）を利用すれば、冬場での熱源温度が上昇し、ヒートポンプの効率も上昇する。換言すれば、外気よりも高温の低温未利用水（Ｗｒ）から熱を汲み上げる様に構成すれば、より高温熱源から温熱を汲み上げることとなり、ヒートポンプの効率が向上する。
【００１９】
また、冷房時は熱を低温未利用水に捨て冷却塔から大気に熱が放散されないため、ヒートアイランド現象を抑制する効果が得られる。
【発明を実施するための最良の形態】
【００２０】
以下、添付図面を参照して、本発明の実施形態について説明する。
【００２１】
先ず、図１〜図４を参照して第１実施形態を説明する。
【００２２】
図１において、熱源機本体Ｍ１はシリーズフロータイプの吸収冷温水機であり、吸収器1と、再生器２〜４、凝縮器５及び蒸発器６とから概略構成されている。
【００２３】
詳細には、熱源機本体Ｍ１は、吸収器１、高温再生器２、中温再生器３、低温再生器４、凝縮器５、及び蒸発器６とを有している。
【００２４】
吸収器１から出た稀溶液は、吸収溶液ポンプＰ１により、低温溶液熱交換器Ｈ１、中温溶液熱交換器Ｈ２及び高温溶液熱交換器Ｈ３を介装した吸収溶液ラインＬ１を流下し、高温再生器２に供給される。
尚、図示の例では、高温再生器２の加熱源として、高質燃料（例えば都市ガス）バーナー２ｂが用いられている。
【００２５】
前記高温再生器２で再生した気相冷媒（水蒸気、冷媒ガス）が流れる蒸気ライン（気相冷媒ライン）Ｌ２は、分岐点Ｂ１でラインＬ３とラインＬ２−１とに分岐する。
ラインＬ２−１は中温再生器３に連通し、中温再生器３において、ラインＬ２−１を流過する気相冷媒と中温再生器３内部の吸収溶液とで熱交換を行う。係る熱交換により再生した気相冷媒は、ラインＬ４を流れる。
そしてラインＬ２−１は、合流点Ｇ１でラインＬ３−１（後述）と合流して、凝縮器５に連通する。ここで、ラインＬ２−１は、中温再生器３と第１の合流点Ｇ１との間の領域に第１の切換弁（開閉弁）Ｖ１を介装している。
【００２６】
分岐点Ｂ１で分岐した他方のラインＬ３は、第２の切換弁Ｖ２を介装しており、合流点Ｇ２で、中温再生器３で再生した気相冷媒が流過するラインＬ４と合流する。図において、合流点Ｇ２で合流したラインＬ３とＬ４とは、ラインＬ３−１と表示されている。
ここで、第２の切換弁Ｖ２を介装したラインＬ３は、気相冷媒ラインにおいて、中温再生器３をバイパスするバイパスラインを構成している。
このラインＬ３−１は低温再生器４に連通しており、ラインＬ３−１を流れる気相冷媒と低温再生器４内の吸収溶液とで熱交換を行う。この熱交換の結果、低温再生器４で再生した気相冷媒は、ラインＬ５を流れる。
【００２７】
低温再生器４を経由したラインＬ３−１は、上述した通り、合流点Ｇ１でラインＬ２−１と合流し、凝縮器５に連通する。
低温再生器４で再生した気相冷媒が流れるラインＬ５も、凝縮器５に連通している。
【００２８】
前記凝縮器５は、ラインＬ６によって蒸発器６に連通しており、ラインＬ６には凝縮した液相冷媒が流れる。ラインＬ６を流れる液相冷媒は、蒸発器６において冷水ラインＬａを流れる冷水から気化熱（蒸発熱）を奪い、気相冷媒となる。蒸発器６で気化した気相冷媒は、ラインＬ７を流れて吸収器１に連通する。
吸収器１に流入した気相冷媒は、再生器２〜４で濃縮された吸収溶液に吸収され、吸収溶液を薄めて、稀溶液とせしめる。
ここで、蒸発器６には第２の冷媒ポンプＰ２が装備されており、蒸発器６に溜まった液状の冷媒を汲み上げて滴下させるように構成されている。
【００２９】
前記高温再生器２で加熱されて濃縮された吸収溶液は、ラインＬ１１を流れる。第２の分岐点Ｂ２において、ラインＬ１１からはバイパスラインＬ１３が分岐している。
ラインＬ１１は第３の切換弁Ｖ３を介装しており、中温再生器３に連通している。
【００３０】
分岐点Ｂ２でラインＬ１１から分岐したバイパスラインＬ１３には、第４の切換弁Ｖ４が介装されている。
中温再生器３には、吸収溶液ラインＬ１２が接続しており、ラインＬ１２は合流点Ｇ３でバイパスラインＬ１３が合流している。
【００３１】
合流点Ｇ３でバイパスラインＬ１３と合流したラインＬ１２は、中温溶液熱交換器Ｈ２を介して低温再生器４に連通する。
低温再生器４では、気相冷媒ラインＬ３−１を流れる気相冷媒が保有する熱量が、低温再生器４内の吸収溶液に投入されて、新たに気相冷媒が再生されてラインＬ５を流れる。
低温再生器４には、吸収溶液ラインＬ１４が接続しており、ラインＬ１４は、低温溶液熱交換器Ｈ１を経由して、吸収器１に連通する。
【００３２】
吸収器１及び凝縮器５には冷却水ラインＬｗが連通している。冷却水ラインＬｗを流れる冷却水は、吸収器１で吸収溶液が気相冷媒（水蒸気）を吸収する際に吸収熱を発生して昇温するのを冷却すると共に、凝縮器５に供給された気相冷媒を凝縮するのに用いられる。換言すれば、冷却水ラインＬｗを流れる冷却水は、吸収器１及び凝縮器５で熱交換を行い、吸収熱及び凝縮熱が投入される。
【００３３】
図１〜図４で示す第１実施形態では、冷房運転時（夏場）は三重効用の運転を行い、暖房運転時（冬場）は二重効用で運転する。
冷房運転時（夏場）の三重効用運転と、暖房運転時（冬場）の二重効用運転について、図２、図３を参照して、具体的に説明する。
【００３４】
先ず、図２を参照して、夏場或いは冷房運転時における運転（三重効用運転）を説明する。
図２の三重効用運転では、第１及び第３の切換バルブＶ１、Ｖ３が開放され、第２及び第４の切換バルブＶ２、Ｖ４が閉じられる。
【００３５】
ここで、吸収溶液或いは気相冷媒（気液２相の場合を含む）が流れないラインは破線で示し、吸収溶液或いは冷媒が流れているラインは実線で示し、開放されたバルブを白抜きで、閉鎖されたバルブを黒く塗り潰して示す。
【００３６】
吸収器１の稀溶液が吸収溶液ラインＬ１を介して高温再生器２に送られる。
高温再生器２では、加熱バーナー２ｂによってラインＬ１を経由して供給された吸収溶液を加熱する。加熱された吸収溶液から気相冷媒が再生して、ラインＬ２を流過する。
ここで、ラインＬ３に介装された第２の切換弁Ｖ２は、冷房運転時は閉鎖しているので、高温再生器２で再生された気相冷媒は、ラインＬ２、ラインＬ２−１を流れて、中温再生器３を流過する。その際に、中温再生器３内の吸収溶液を加熱する。
【００３７】
一方、高温再生器２で加熱された吸収溶液は、吸収溶液ラインＬ１１を流れる。ここで、バイパスラインＬ１３に介装された切換弁Ｖ４は、冷房運転時には閉鎖しているので、吸収溶液は、ラインＬ１１を流れて中温再生器３へ流入する。
そして、中温再生器３で、ラインＬ２−１を流れる気相冷媒により加熱された吸収溶液から、気相冷媒が再生する。
【００３８】
中温再生器３で再生した気相冷媒はラインＬ４、ラインＬ３−１を流れ、低温再生器４を流過して、低温再生器４内の吸収溶液を加熱する。低温再生器４内の吸収溶液を加熱した後、ラインＬ３−１を流れる冷媒は、合流点Ｇ１にて、中温再生器３を経由した冷媒ラインＬ２−１と合流して、凝縮器５に流入する。
【００３９】
中温再生器３で加熱された吸収溶液はラインＬ１２を流れ、低温再生器４に流入する。低温再生器４に流入した吸収溶液は、ラインＬ３−１を流れる気相冷媒で加熱され、気相冷媒を再生する。
低温再生器で再生された気相冷媒は、ラインＬ５を介して凝縮器５に流入する。
【００４０】
低温再生器４で加熱され、気相冷媒を再生した後、吸収溶液はラインＬ１４を介して、吸収器１へ戻される。
【００４１】
ここで、図２において、加熱バーナー２ｂで加熱することにより再生した気相冷媒の保有する熱量により、中温再生器３で気相冷媒を再生し、中温再生器３で再生した気相冷媒の保有する熱量により、低温再生器４で気相冷媒を再生している。
すなわち、加熱バーナー２ｂの加熱により、気相冷媒が３回再生されており、三重効用運転が実行されている。
【００４２】
上述した通り、三重効用運転は、冷房効率が非常に高い。
換言すれば、図２で示す夏場の冷房運転時では、中温再生器３に吸収溶液及び気相冷媒を供給することにより、三重効用運転が行われるので、高効率に冷房サイクルが行われる。
【００４３】
次に、図３を参照して、冬場或いは暖房時における運転を説明する。
図３で示す暖房時運転では、第２及び第４の切換弁Ｖ２、Ｖ４が開放され、第１及び第３の切換弁Ｖ１、Ｖ３が閉じられる。
【００４４】
先ず、第１のポンプＰ１によって、吸収器１から高温再生器２に稀溶液が送られる。
【００４５】
高温再生器２では、吸収溶液を加熱バーナー２ｂによって加熱して、気相冷媒を再生する。
ここで、ラインＬ２−１に介装された切換弁Ｖ１が閉鎖しているため、高温再生器２で再生した気相冷媒は、分岐点Ｂ１からラインＬ３を流れ、合流点Ｇ２、ラインＬ３−１を介して、低温再生器４を流過する。換言すれば、暖房運転時は、高温再生器２で再生した気相冷媒は、中温再生器３をバイパスして、低温再生器４を流れる。
そして、ラインＬ３−１を流れる気相冷媒（高温再生器２で再生した気相冷媒）は、低温再生器４内の吸収溶液を加熱して、気相冷媒を再生せしめた後、凝縮器５に流入して、凝縮される。
【００４６】
一方、高温再生器２で加熱された吸収溶液は、吸収溶液ラインＬ１１を流れるが、切換弁Ｖ３は閉鎖しており、切換弁Ｖ４は開放しているので、分岐点Ｂ２からバイパスラインＬ１３を流れる。そして、合流点Ｇ３を経由してラインＬ１２を流れ、低温再生器４に供給される。
すなわち、吸収溶液も、中温再生器３をバイパスして、低温再生器４に流入する。
低温再生器４において、吸収溶液はラインＬ３−１を流れる気相冷媒（高温再生器２で再生した気相冷媒）により加熱されて、気相冷媒が再生する。そして、再生した気相冷媒は、ラインＬ５を流れて凝縮器５に流入する。
【００４７】
低温再生器４で加熱されて、気相冷媒を再生した吸収溶液は、ラインＬ１４を流れて、吸収器１に戻される。そして、吸収溶液は吸収器１で気相冷媒を吸収して、濃度が減少して、稀溶液となる。
【００４８】
ここで、吸収器１において、吸収溶液が気相冷媒を吸収する際に発生する吸収熱が、冷却水ラインＬｗを流れる冷却水に投入される。
それと共に、凝縮器５内では、気相冷媒が凝縮する際に凝縮熱或いは気化熱を、冷却水ラインＬｗの冷却水に投入する。
すなわち、冷却水ラインＬｗの冷却水は、吸収器１で吸収熱、凝縮器５で凝縮熱が投入されて、加熱される。そして、加熱されて昇温した冷却水が、暖房負荷に供給される。
【００４９】
以上述べたように、図３で示す冬場の冷房運転時では、加熱バーナー２ｂで加熱された結果、高温再生器２と低温再生器４で気相冷媒が再生する（合計２回再生：中温再生器３では、気相冷媒は再生しない）。すなわち、二重効用運転が為される。
ここで、暖房運転時に三重効用運転を行なうと、高温再生器の温度が高温となり過ぎて腐食する恐れがある。そのため、冬場の暖房運転時には高温再生器の温度が上昇し過ぎない二重効用運転とし、以って、高温再生器の温度が高温となることに起因する腐食を防止するのである。
【００５０】
図４は、図１〜図３で示す吸収冷温水機のデューリング線図上での冷房サイクル及び暖房サイクルを描いた線図である。
【００５１】
次に、図５を参照して第２実施形態を説明する。
図１〜図３の第１実施形態では、熱源機本体Ｍ１は三重効用吸収冷温水機（夏季のみ、冬季は二重効用吸収冷温水機）のシリーズフロータイプであるが、第２実施形態の熱源機本体Ｍ２は、パラレルフロータイプに構成されている。
図５における熱源機Ｍ２においては、稀溶液ラインＬ１は、分岐点Ｂ４で低温再生器４に連通するラインＬ２２が分岐しており、分岐点Ｂ３で中温再生器３に連通するラインＬ２１が分岐している。そして、高温再生器２から吸収器1に連通する吸収溶液ラインでは、合流点Ｇ４で中温再生器３に接続するラインＬ３１が合流しており、合流点Ｇ５で低温再生器４に接続するラインＬ３２が合流している。
再生した気相冷媒が流過するラインについては、図１〜図３で示すのと同様である。
冷房運転時には、切換弁Ｖ３、Ｖ５を開放し、ラインＬｂの切換弁Ｖ４を閉鎖して、吸収溶液を中温再生器３へ流入させる。一方、暖房運転時には、切換弁Ｖ３、Ｖ５を閉鎖して、切換弁Ｖ４を開放することにより、吸収溶液が中温再生器３をバイパスさせる。気相冷媒が中温再生器３をバイパスする態様は、図１〜図３で説明したのと同様である。
その他の構成及び作用効果は、図１〜図３で示す第１実施形態と同様である。
【００５２】
次に、図６を参照して第３実施形態を説明する。
図６の第３実施形態では、熱源機本体Ｍ３をリバースフロータイプに構成している。
図６における熱源機Ｍ３において、冷房運転を行う場合は、切換弁Ｖ３、Ｖ５を開放し、切換弁Ｖ４、Ｖ６を閉鎖して、吸収器１で蒸気を吸収した稀溶液は、先ず、吸収溶液ラインＬ４１によって低温再生器４に流入し、冷凍機として運転する場合には、低温再生器４から吸収溶液ラインＬ４２によって中温再生器３に送られ、そして、中温再生器３から吸収溶液ラインＬ４３によって高温再生器２に送られる。
ここで、前記吸収溶液ラインＬ４２には低温再生器４から冷媒を送るための第３の冷媒ポンプＰ３が、また、吸収溶液ラインＬ４３には中温再生器３から冷媒を送るための第４の冷媒ポンプＰ４が介装されている。
【００５３】
暖房運転する場合は、切換弁Ｖ３、Ｖ５を閉鎖し、切換弁Ｖ４、Ｖ６を開放して、低温再生器４から、吸収溶液ラインＬ４２、第５の分岐点Ｂ５、バイパスラインＬｂ２、第３の分岐点Ｂ３、吸収溶液ラインＬ４３を順に経由して、高温再生器２に吸収溶液を送り出す。中温再生器３はバイパスする。
気相冷媒が流れるラインについては、図１〜図３と同様である。
その他の構成及び作用効果は、図１〜図３で示す第１実施形態と同様である。
【００５４】
次に、図７〜図９を参照して本発明の第４実施形態を説明する。
図７において、熱源機本体Ｍ４はシリーズフロータイプの吸収冷温水機であり、図１〜図３の第１実施形態と同様な構成をしている。そして、熱源機本体Ｍ４の冷却水ラインＬｗ及び冷水ラインＬａが連通する低温未利用水との熱交換器（熱源水熱交換器：第１の熱交換器）７と、冷房負荷或いは暖房負荷との熱交換器（室内ユニット：第２の熱交換器）８とから概略構成されている。
【００５５】
詳細には、熱源機本体Ｍ４は、吸収器１、高温再生器２、中温再生器３、低温再生器４、凝縮器５、蒸発器６、低温未利用水との熱交換器である熱源水熱交換器7、及び冷房負荷或いは暖房負荷との熱交換器である室内ユニット８（例えば、ファンコイルユニット或いはエアハンドリングユニット等がある）とを有している。
【００５６】
吸収器１からの稀溶液は、第１の冷媒ポンプＰ１を介装した吸収溶液ラインＬ１を介して、高温再生器２に連通している。高温再生器２の加熱源は、都市ガスによる加熱バーナー２ｂが用いられている。
【００５７】
前記高温再生器２で再生した気相冷媒が流れるラインＬ２は、分岐点Ｂ１で、第１切換弁Ｖ１を介装し且つ中温再生器３を経由するラインＬ２−１と、第２切換弁Ｖ２を介装したラインＬ３とに分岐している。
ラインＬ３は、合流点Ｇ２で、中温再生器３で再生した気相冷媒が流れるラインＬ４と合流してラインＬ３−１となり、低温再生器４、合流点Ｇ１を経由して、凝縮器５に連通する。
一方、ラインＬ２−１は、中温再生器３を介して、合流点Ｇ１でラインＬ３−１と合流して、凝縮器５に連通している。
【００５８】
ここで、分岐点Ｂ１から合流点Ｇ２の間のラインＬ３は、中温再生器３をバイパスする気相冷媒ライン側のバイパスラインを構成している。
【００５９】
なお、前記低温再生器４で再生した気相冷媒が流れるラインＬ５は、凝縮器５に連通している。
【００６０】
高温再生器２で加熱された吸収溶液が流れる吸収溶液ラインＬ１１は、第３切換弁Ｖ３を介装して中温再生器３に連通しており、分岐点Ｂ２からは、第４切換弁Ｖ４を介装したバイパスラインＬ１３が分岐している。このバイパスラインＬ１３は、吸収溶液系統において、中温再生器３をバイパスしている。
【００６１】
前記中温再生器３には吸収溶液ラインＬ１２が接続しており、このラインＬ１２には合流点Ｇ３でバイパスラインＬ１３が合流している。そしてラインＬ１２は低温再生器４に連通している。
【００６２】
低温再生器４には吸収溶液ラインＬ１４が接続しており、ラインＬ１４は吸収器１に連通している。
【００６３】
前記吸収器１及び前記凝縮器５には冷却水ラインＬｗが連通している。冷却水ラインＬｗの冷却水は、吸収器１において吸収熱が投入され、凝縮器５において凝縮熱が投入されて、加熱・昇温される。
【００６４】
前記冷却水ラインＬｗは、凝縮器５近傍の端部Ｌｗｅで、冷却水ラインＬｗ２と接続されており、冷却水ラインＬｗ２は吸収器１近傍の端部Ｌｗｅに接続して、冷却水の閉回路が形成し、当該冷却水が循環するように構成されている。
冷却水ラインＬｗ２には熱源水熱交換器７が介装され、その熱源水熱交換器７において、冷却水が、例えば下水処理後の水或いは河川水Ｗｒ等によって熱交換される様に構成されている。
【００６５】
前記冷却水ラインＬｗ２における熱源機熱交換器７と吸収器１側の端部Ｌｗｅとの間の領域には、分岐点Ｂｗ１、開閉弁Ｖｗ１、分岐点ＢＷ２、送水ポンプＰｗが設けられている。
また、冷却水ラインＬｗ２における凝縮器５側の端部Ｌｗｅと熱源機熱交換器７との間の領域には、流過順に冷却水ラインにおける分岐点Ｂｗ３、開閉弁Ｖｗ２、分岐点Ｂｗ４が介装されている。
【００６６】
蒸発器６の熱負荷側の冷水が循環する冷水ラインＬａ（閉回路）は、冷房負荷或いは暖房負荷との熱交換器である室内ユニット８（例えば、ファンコイルユニット、エアハンドリングユニット）に連通している。
【００６７】
一方、前記冷水ラインＬａにおいて、室内ユニット８と蒸発器６との間の領域には、分岐点Ｂａ１、開閉弁Ｖａ１、分岐点Ｂａ２が設けられており、蒸発器６を介して、送水ポンプＰａ、分岐点Ｂａ３、開閉弁Ｖａ２、分岐点Ｂａ４が設けられている。
【００６８】
冷却水ラインＬｗ２の分岐点Ｂｗ１と冷水ラインＬａの分岐点Ｂａ２とは、第１のラインＬＢ１によって連通している。
冷却水ラインＬｗ２の分岐点Ｂｗ２と冷水ラインＬａの分岐点Ｂａ１とは、第２のラインＬＢ２によって連通している。
冷却水ラインＬｗ２の分岐点Ｂｗ３と冷水ラインＬａの分岐点Ｂａ４とは、第３のラインＬＢ３によって連通している。
そして、冷却水ラインＬｗ２の分岐点Ｂｗ４と前記冷水ラインＬａの分岐点Ｂａ３とは、第４のラインＬＢ４によって連通している。
【００６９】
前記第１のラインＬＢ１には第１の遮断弁ＶＢ１が介装され、第２のラインＬＢ２には第２の遮断弁ＶＢ２が介装され、第３のラインＬＢ３には第３の遮断弁ＶＢ３が介装され、第４のラインＬＢ４には第４の遮断弁ＶＢ４が介装されている。
【００７０】
そして本発明の第４実施形態の熱源機本体Ｍ４では、冷房運転時（夏場）は三重効用運転を行い、暖房運転時（冬場）は二重効用運転を行う。
三重効用運転、二重効用運転については、図８、図９を参照して具体的に説明する。
【００７１】
図８を参照して、夏場の冷房時における運転（吸収冷凍機として作動：三重効用運転）を説明する。
図８において、熱原水熱交換器７における冷媒として、低温未利用水Ｗｒである例えば下水処理水、或いは河川を使用する。
上述したように、低温未利用水Ｗｒ、例えば下水処理水は、夏場でも２５℃程度しか昇温しない。そこで、そのような低温未利用水Ｗｒを冷媒として用い、冷却水ラインの冷却水温度が下がれば、熱源機本体Ｍ４の冷凍効率の高効率化が図られる。
【００７２】
先ず、図８の三重効用運転では、第１及び第３の切換弁Ｖ１、Ｖ３が開放され、第２及び第４の切換弁Ｖ２、Ｖ４が閉じられる。さらに第１〜第４のラインＬＢ１〜ＬＢ４に介装された各遮断弁ＶＢ１〜ＶＢ４までの全てが閉じられ、冷却水ラインＬｗ２に介装された開閉弁Ｖｗ１、Ｖｗ２と、冷水ラインＬａに介装された開閉弁Ｖａ１、Ｖａ２が開放されている。
【００７３】
高温再生器２で再生した気相冷媒はラインＬ２を流れる。ここで、切換弁Ｖ１が開放して、切換弁Ｖ２が閉鎖しているので、ラインＬ２を流れる気相冷媒はラインＬ２−１を流れ、中温再生器３を経由して、合流点Ｇ１を経て、凝縮器５に流入する。そして、中温再生器３で、吸収溶液を加熱して、気相冷媒を再生する。
中温再生器３で再生した冷媒は、ラインＬ４、ラインＬ３−１を経由して低温再生器４を流れ、低温再生器４内の吸収溶液を加熱して、気相冷媒を再生する。
【００７４】
すなわち、高温再生器２の加熱バーナー２ｂの熱量により、高温再生器２、中温再生器３、低温再生器４で３回に亘って気相冷媒が再生され、三重効用運転が行われる。
【００７５】
高温再生器２で加熱された吸収溶液は吸収溶液ラインＬ１１を流れるが、第３の切換弁Ｖ３が開放されており、第４の切換弁Ｖ４が閉鎖されているので、ラインＬ１１を流れる吸収溶液は中温再生器３に流入する。
【００７６】
凝縮器５内で気相冷媒が凝縮し、液相冷媒となって蒸発器６内に滴下され、蒸発器６内に連通する冷水ラインを流れる冷水から気化熱を奪い、当該冷水を冷却する。冷却された冷水は、ラインＬａを介して、室内ユニット８に供給され、冷房負荷側に冷熱を投入する。
上述した以外の気相冷媒の流れ、吸収溶液の流れについては、第１実施形態の冷房運転時を示す図２において説明したのと同様である。
【００７７】
吸収器１及び凝縮器５を流過する冷却水が流れる冷却水ラインＬｗ及び冷却水ラインＬｗ２で構成される循環ラインの流れを説明する。
【００７８】
冷却水ラインＬｗ２に介装された冷却水ポンプＰｗを作動させ、熱源水熱交換器７において低温未利用水（例えば、河川水）冷却水Ｗｒによって冷やされた冷却水を、熱源水熱交換器７から吸収器１に向って流過させる。
冷却水は、吸収熱が発生する吸収器１を冷却した後、気相冷媒が凝縮する凝縮器５を冷却して、凝縮器５側の端部Ｌｗｅを介して、冷却水ラインＬＷ２を流過して熱原水熱交換器７に戻る。そして、熱源水熱交換器７で冷却されて再び同様のサイクルを繰り返す。
【００７９】
ここで、第１〜第４の遮断弁ＶＢ１〜ＶＢ４が閉じているため、冷却水ラインＬｗ２を流れる冷却水は、冷水ラインＬａ側には流入しない。
【００８０】
図８、図９において、実線の矢印は冷却水の流れの方向を、また、点線の矢印は冷水の流れの方向を示す。
【００８１】
一方、冷水ラインＬａに介装された冷水ポンプＰａを作動させると、冷水は冷水ラインＬａを流過し、蒸発器６で冷やされ、室内ユニット８を循環し、室内の空気Ａと熱交換を行って、室内空気を冷やす。
【００８２】
図８で示す夏場の冷房運転時では、中温再生器３でも気相冷媒を再生する三重効用運転を行うので、高効率に冷房サイクルが行われる。
また、加熱、昇温された冷却水と熱交換をする低温未利用水（河川水等）の温度は、冷房運転が行われる夏季では外気よりも低温であるため、冷却水の温度が低くなり、吸収冷凍機の冷凍効率がさらに向上する。
これに加えて、低温未利用水（河川水等）に熱を捨て、大気には熱を放散しないので、大気に放散される熱量を抑制し、その結果、ヒートアイランド現象を抑制する効果が得られる。
【００８３】
次に、図９を参照して、冬場の暖房時における運転を説明する。
図９の二重効用運転では、第２及び第４の切換バルブＶ２、Ｖ４が開放され、第１及び第３の切換バルブＶ１、Ｖ３が閉じられる。
さらに、第１〜第４のラインＬＢ１〜ＬＢ４に介装された各遮断弁ＶＢ１〜ＶＢ４までの全てが開放され、冷却水ラインＬｗ２に介装された開閉弁Ｖｗ１、Ｖｗ２、及び冷水ラインＬａに介装された開閉弁Ｖａ１、Ｖａ２が閉じられる。
【００８４】
暖房運転時では、高温再生器２で発生した気相冷媒は、切換弁Ｖ１が閉鎖し切換弁Ｖ２が開放しているため、ラインＬ２、ラインＬ３、ラインＬ３−１を流れ、中温再生器３をバイパスして、低温再生器４を流れる。そして、低温再生器４内の吸収溶液を加熱して、気相冷媒を再生した後、凝縮器５に流入する。
暖房運転時では、加熱バーナー２ｂから投入された熱により、高温再生器２、低温再生器４で気相冷媒を２回再生しており、二重効用運転が為されることとなる。二重効用運転を行うことにより、暖房運転時における高温再生器２の温度上昇が抑制され、高温再生器２が腐食を生じる程度まで昇温してしまうことが防止される。
【００８５】
高温再生器２で加熱された吸収溶液はラインＬ１１を流れるが、切換弁Ｖ３が閉鎖し切換弁Ｖ４が開放しているので、吸収溶液は分岐点Ｂ２からバイパスラインＬ１３を流れ、中温再生器３には供給されない。
バイパスラインＬ３を流れる吸収溶液は、合流点Ｇ３からラインＬ１２を流れて、低温再生器に供給される。
上述した以外の冷媒の流れ、吸収溶液の流れについては、第１実施形態の暖房運転時を示す図３で説明したのと同様である。
【００８６】
吸収器１では、発生した吸収熱が、冷却水ラインＬｗを流れる冷却水に投入される。
また、凝縮器５内では、気相冷媒の凝縮熱が、冷却水ラインＬｗを流過する冷却水に投入される。
すなわち、吸収器１で吸収熱が投入され、凝縮器５で凝縮熱が投入された冷却水は、十分に加熱、昇温されて、暖房負荷に対して温熱が供給できる程度の温度と熱量を保有する。
【００８７】
次に、冷水ラインＬａと、冷却水ラインＬｗと、熱源水熱交換器７と、室内ユニット８との、暖房運転時における循環について説明する。
図９において、冷却水ラインＬｗ２に介装された開閉弁Ｖｗ１、Ｖｗ２と、冷水ラインＬａに介装された開閉弁Ｖａ１、Ｖａ２とは閉鎖されているため、熱源水熱交換器７で低温未利用水（河川水等）の熱量を投入された冷水は、分岐点Ｂｗ１から第１のラインＬＢ１を流過し、冷水ラインＬａの第２の分岐点Ｂａ２を経由して冷水ラインＬａに入る。
冷水ラインＬａに入った冷水は、蒸発器６において液相冷媒に熱エネルギ（気化熱）を与え、ポンプＰａを介して、第３の分岐点Ｂａ３、第４のラインＬＢ４を経由して、熱源水熱交換器７に戻る。
ここで、暖房運転が行われる冬季では、低温未利用水（河川水等）の温度は外気に比較して高温である。そのため、冷水を低温熱源として熱量をくみ上げるヒートポンプとして作用する暖房運転時においては、低温熱源温度が上昇するため、暖房効率が向上する。
【００８８】
次に、室内ユニット８に温熱を投入する温熱源として循環する冷却水の流れを説明する。
冷却水ラインＬｗ２に介装された冷却水ポンプＰｗによりヘッドが付加されて冷却水が循環すると、室内ユニット８に温熱を投入した後の冷却水が、冷水ラインＬａの分岐点Ｂａ１、第２のラインＬＢ２、冷却水ラインの分岐点Ｂｗ２、冷却水ラインＬｗ２を経由して吸収器１に流入する。
上述したように、吸収器１で吸収熱が投入された冷却水は、凝縮器５を通過する際にさらに凝縮熱を投入されて加熱され、凝縮器５の端部Ｌｗｅを介して冷却水ラインＬｗ２を流過し、分岐点ＢＷ３、第３のラインＬＢ３、冷水ラインＬａの分岐点Ｂａ４を経由して室内ユニット８に戻る。以降、同様のサイクルを繰り返す。
【００８９】
上述したように、図９で示す冬場の暖房運転時では、中温再生器３を用いない二重効用ヒートポンプとして作動するので、暖房運転時において三重効用運転を行なう場合の様に高温再生器の温度が高温となり過ぎて腐食してしまう恐れが無い。
【００９０】
そして、冬場或いは暖房時は、５℃〜１２℃程度の温度レベルを維持する下水処理水或いは河川水等の低温未利用水から熱を貰うヒートポンプとして作動するので、それよりも低温の大気から熱を汲み上げるヒートポンプと比較して、その効率が向上するのである。
【００９１】
次に、図１０を参照して第５実施形態を説明する。
図７〜図９の第４実施形態では、熱源機本体Ｍ４は三重効用吸収冷温水機（夏季のみ、冬季は二重効用吸収冷温水機）のシリーズフロータイプであるが、第５実施形態（熱源機本体は符号Ｍ５で示す）ではパラレルフロータイプに構成されている。
図１０における熱源機Ｍ５は、図５で示す熱源機Ｍ２と同様の構成を具備している。
その他の構成及び作用効果は、図７〜図９で示す第４実施形態と同様である。
【００９２】
次に、図１１を参照して第６実施形態を説明する。
図１１の第６実施形態では、熱源機本体Ｍ６をリバースフロータイプに構成している。
図１１における熱源機Ｍ６は、図６で示す熱源機Ｍ３と同様の構成を具備している。
その他の構成及び作用効果は、図７〜図９で示す第４実施形態と概略同様である。
【００９３】
次に、図１２〜図１４を参照して第7実施形態を説明する。
図１〜図１１の第１実施形態〜第６実施形態では、夏季の冷房運転時には三重効用吸収冷凍機を構成しているが、図１２〜図１４の第７実施形態では、夏季の冷房運転時も二重効用吸収冷凍機を構成している。
すなわち、図１２において、熱源機本体Ｍ７はシリーズフロータイプの吸収冷温水機であり、低温未利用水との熱交換器である熱源水熱交換器７と、冷房負荷或いは暖房負荷との熱交換器である室内ユニット８とを有している。
【００９４】
熱源機本体Ｍ７は、吸収器１、高温再生器２、低温再生器４、凝縮器５、及び蒸発器６、低温未利用水との熱交換器である熱原水熱交換器７（第１の熱交換器）、及び冷房負荷或いは暖房負荷との熱交換器である室内ユニット８（第２の熱交換器）とを有している。
【００９５】
吸収器１は、第１の冷媒ポンプＰ１、低温溶液熱交換器Ｈ１、高温溶液熱交換器Ｈ２を介装した吸収溶液ラインＬ１を介して、高温再生器２に連通している。
高温再生器２は、加熱源としてバーナー２ｂが用いられている。
【００９６】
前記高温再生器２で再生した気相冷媒が流れるラインＬ３は、低温再生器４を介して凝縮器５に連通している。低温再生器４は、ラインＬ３を流れる気相冷媒の保有する熱量を、低温再生器４内の吸収溶液に投入する様に構成されている。
【００９７】
前記低温再生器４で再生された気相冷媒が流れるラインＬ５は、凝縮器５に連通している。
【００９８】
前記凝縮器５は、冷媒ラインＬ６によって蒸発器６に連通しており、蒸発器６では、液相冷媒がラインＬａを流れる冷水から気化熱を奪って冷却する。
蒸発器６で蒸発した気相冷媒が流れるラインＬ７が、前記吸収器１に連通している。蒸発器６には第２の冷媒ポンプＰ２が装備されており、蒸発器６に溜まった液相冷媒を汲み上げて滴下させるように構成されている。
【００９９】
高温再生器２で加熱された吸収溶液が流れる吸収溶液ラインＬ１２は、低温再生器４に連通している。
【０１００】
前記低温再生器４には吸収溶液ラインＬ１４が接続しており、ラインＬ１４は吸収器１に連通している。
【０１０１】
前記吸収器１及び前記凝縮器５には冷却水ラインＬｗが連通しており、冷却水ラインＬｗの冷却水が吸収器１及び凝縮器５において、吸収熱及び凝縮熱を投入される様に構成されている。
【０１０２】
前記冷却水ラインＬｗは、凝縮器５側の端部Ｌｗｅを介して冷却水ラインＬｗ２に接続されている。この冷却水ラインＬｗ２は、吸収器１側の端部Ｌｗｅに接続され、以って、冷却水の閉回路が形成され、冷却水が循環するように構成されている。
冷却水ラインＬｗ２には、熱源水熱交換器７が介装され、その熱源水熱交換器７において、冷却水が、例えば下水処理後の水或いは河川水Ｗｒ等によって熱交換される様に構成されている。
【０１０３】
また、蒸発器６の熱負荷側の冷水が循環する冷水ラインＬａ（閉回路）には、冷房負荷或いは暖房負荷との熱交換器である室内ユニット８（ファンコイルユニット、エアハンドリングユニット等）が介装されている。
【０１０４】
前記冷却水ラインＬｗ２における熱源機熱交換器７と吸収器１との間の領域には、冷却水ラインにおける分岐点Ｂｗ１、開閉弁Ｖｗ１、分岐点ＢＷ２、送水ポンプＰｗが設けられている。
また、冷却水ラインＬｗ２における凝縮器５と熱源機熱交換器７との間の領域には、冷却水ラインにおける分岐点Ｂｗ３、開閉弁Ｖｗ２、分岐点Ｂｗ４が設けられている。
【０１０５】
冷水ラインＬａにおける室内ユニット８と蒸発器６のラインＬａ入口側（図１２の上方側）との間の領域には、冷水ラインＬａにおける分岐点Ｂａ１、開閉弁Ｖａ１、分岐点Ｂａ２が設けられている。
冷水ラインＬａにおける蒸発器６のラインＬａ出口側（図１１の下方側）と室内ユニット８との間の領域には、送水ポンプＰａ、第３の分岐点Ｂａ３、第２の開閉弁Ｖａ２、第４の分岐点Ｂａ４が設けられている。
【０１０６】
冷却水ラインＬｗ２の分岐点Ｂｗ１と冷水ラインＬａの分岐点Ｂａ２とは、第１のラインＬＢ１によって連通している。
冷却水ラインＬｗ２の分岐点Ｂｗ２と冷水ラインＬａの分岐点Ｂａ１とは、第２のラインＬＢ２によって連通している。
冷却水ラインＬｗ２の分岐点Ｂｗ３と冷水ラインＬａの分岐点Ｂａ４とは、第３のラインＬＢ３によって連通している。
そして、冷却水ラインＬｗ２の分岐点Ｂｗ４と冷水ラインＬａの分岐点Ｂａ３とは、第４のラインＬＢ４によって連通している。
【０１０７】
第１のラインＬＢ１には第１の遮断弁ＶＢ１が介装され、第２のラインＬＢ２には第２の遮断弁ＶＢ２が介装され、第３のラインＬＢ３には第３の遮断弁ＶＢ３が介装され、そして、第４のラインＬＢ４には第４の遮断弁ＶＢ４が介装されている。
【０１０８】
図１３を参照して、夏場の冷房時における運転（吸収冷凍機として作動）を説明する。
図１３において、熱源水熱交換器７における冷媒として、低温未利用水（下水処理水、或いは河川水）Ｗｒを使用する。
上述したように、低温未利用水、例えば下水処理水は、夏場でも２５℃程度しか昇温しない。そのため、大気よりも低温の低温未利用水を冷却水と熱交換することにより、冷却水ラインＬｗ２の冷却水温度が下げることができ、熱源機本体Ｍ７の高効率化が図られる。
【０１０９】
図１３の冷房運転では第１〜第４ラインＬＢ１〜ＬＢ４に介装された各遮断弁ＶＢ１〜ＶＢ４までの全てが閉じられ、冷却水ラインＬｗ２に介装された開閉弁Ｖｗ１、Ｖｗ２と、冷水ラインＬａに介装された開閉弁Ｖａ１、Ｖａ２とが開放されている。
【０１１０】
高温再生器２で吸収溶液を加熱することにより再生された気相冷媒は、ラインＬ３を流過して低温再生器４に流入し、低温再生器４内の吸収溶液を加熱し、凝縮器５に流入する。加熱された低温再生器４内の吸収溶液から再生された気相冷媒は、ラインＬ５を流れて凝縮器５に流入する。
【０１１１】
高温再生器２で加熱された吸収溶液は、ラインＬ１２を流れて低温再生器４に供給される。
そして、低温再生器４で加熱された吸収溶液は、ラインＬ１４を流れて吸収器１に戻される。
【０１１２】
凝縮器５内では、気相冷媒が凝縮して液相冷媒となり、冷媒ラインＬ６を流過し、蒸発器６内に滴下される。滴下された液相冷媒は、蒸発器６内に連通された冷水ラインＬａを流過する冷水から気化熱を奪って蒸発して気相冷媒となる。その結果、冷水ラインＬａを流れる冷水は冷却される。
【０１１３】
吸収器１及び凝縮器５を流過して加熱・昇温される冷却水が流れる冷却水ラインＬｗ、Ｌｗ２で構成される冷却水循環系における冷却水の流れを説明する。
【０１１４】
冷却水ラインＬｗ２に介装された冷却水ポンプＰｗを作動させると、熱源水熱交換器７で低温未利用水（例えば、河川から引いた冷却水）Ｗｒによって冷やされた冷却水が、熱源水熱交換器７から吸収器１に向って流れる。
冷却水は、吸収器１において吸収熱が投入され、凝縮器５において凝縮熱が投入され、昇温する。そして、凝縮器５側の端部Ｌｗｅを経由して、冷却水ラインＬＷ２を流過して熱原水熱交換器７に戻り、再び同様のサイクルを繰り返す。図１３において、矢印は冷却水の流れの方向を示す。
【０１１５】
尚、第１〜第４の遮断弁ＶＢ１〜ＶＢ４が閉じているため、冷却水ラインを流れる冷却水は、冷水ラインＬａ側には流入しない。
【０１１６】
一方、冷水ラインＬａに介装された冷水ポンプＰａを作動させると、冷水は冷水ラインＬａを流過し、蒸発器６で冷やされ、室内ユニット８を循環し、室内の空気Ａと熱交換を行って、室内空気を冷やす。
【０１１７】
ここで、図１３で示す冷房運転が行われる夏場では、低温未利用水（例えば河川水）Ｗｒの温度は、外気温より低い。そのため、冷却水に投入された熱量を外気に放出する場合に比較して、図１３で示すように低温未利用水に投入すれば、冷却水温度を降温して、冷房効率を向上することができる。
【０１１８】
次に、図１４を参照して、冬場の暖房時における運転を説明する。
図１２の二重効用運転では、第１〜第４ラインＬＢ１〜ＬＢ４に介装された各遮断弁ＶＢ１〜ＶＢ４までの全てが開放され、冷却水ラインＬｗ２に介装された開閉弁Ｖｗ１、Ｖｗ２と、冷水ラインＬａに介装された開閉弁Ｖａ１、Ｖａ２が閉鎖されている。
【０１１９】
熱源機Ｍ７の暖房運転時における吸収溶液、冷媒の流れは、図１３の冷房運転時と同様である。
【０１２０】
暖房運転時には、吸収器１の吸収熱、凝縮器５の凝縮熱が投入された冷却水が、暖房負荷側の室内ユニット８に供給される。一方、低温未利用水Ｗｒと熱交換を行う熱源水熱交換器７が冷水ラインＬａに連通して、低温未利用水Ｗｒをヒートポンプの低温熱源として利用する。
【０１２１】
熱源水熱交換器７によって、例えば河川水から熱エネルギーを投入された冷却水の流れを説明する。
冷却水ラインＬｗ２に介装された開閉弁Ｖｗ１、Ｖｗ２及び冷水ラインＬａに介装された開閉弁Ｖａ１、Ｖａ２は閉鎖されているため、熱源水熱交換器７から出た冷却水は、分岐点Ｂｗ１を経て第１のラインＬＢ１を流れ、分岐点Ｂａ２を経由して冷水ラインＬａに入る。
冷水ラインＬａに入った冷却水は、蒸発器６において液相冷媒に気化熱を与え、ポンプＰａでヘッドを付加されて、分岐点Ｂａ３を介して第４のラインＬＢ４を流れ、熱源水熱交換器７に戻り、以降同様のサイクルを行う。
【０１２２】
次に、室内ユニット８に供給される冷却水の流れを説明する。冷却水ラインＬｗ２に介装された冷却水ポンプＰｗが作動すると、室内ユニット８に温熱を投入した冷却水が、冷水ラインＬａの分岐点Ｂａ１、第２のラインＬＢ２、冷却水ラインの分岐点ＢＷ２、冷却水ラインＬｗ２を経由して、吸収器１側の端部Ｌｗｅを介して冷却水ラインＬｗを流れ、吸収器１に流入する。
吸収器１で吸収熱が投入され、凝縮器５を通過する際に凝縮熱が投入されて、加熱・昇温された冷却水は、凝縮器５側の端部Ｌｗｅを介して冷却水ラインＬｗ２を流過する。そして、分岐点Ｂｗ３、第３のラインＬＢ３、冷水ラインＬａの分岐点Ｂａ４を経由して室内ユニット８に戻る。以降、同様のサイクルを繰り返す。
【０１２３】
以上述べたように、熱源水熱交換器７で用いる低温未利用水は冬場でも５℃〜１２℃程度の温度レベルを維持する。暖房運転を行う冬季においては、外気よりも低温未利用水の方が高温である。
従って、高温の低温未利用水をヒートポンプである熱源機Ｍ７の低温熱源とすることにより、ヒートポンプの効率も上昇する。
【０１２４】
図１５は、図１２、図１３、図１４で示す吸収冷温水機のサイクルを示すデューリング線図である。夏季が実線、冬季が点線で示してある。
【０１２５】
次に、図１６を参照して第８実施形態を説明する。
図１２〜図１４の第７実施形態では、熱源機本体Ｍ７は二重効用吸収冷温水機のシリーズフロータイプであるが、第８実施形態（熱源機本体を符合Ｍ８で表す）ではパラレルフロータイプに構成されている。
【０１２６】
図１６における熱源機Ｍ８においては、吸収器１から高温再生器２に連通する稀溶液ラインＬ１からは、分岐点Ｂ４で、中温再生器４に連通するラインＬ２２が分岐している。そして、高温再生器２から吸収器１に連通する吸収溶液ラインＬ１０には、合流点Ｇ５で、中温再生器４に接続された吸収溶液ラインＬ３２が合流している。
その他の構成及び作用効果は、図１２〜図１４で示す第７実施形態と同様である。
【０１２７】
次に、図１７を参照して第９実施形態を説明する。
図１７の第９実施形態では、熱源機本体Ｍ９をリバースフロータイプに構成している。すなわち、図１７における熱源機Ｍ９においては、吸収器１からの稀溶液が流れる吸収溶液ラインＬ４１が低温再生器４に連通しており、低温再生器４の吸収溶液が流れる吸収溶液ラインＬ４２が高温再生器２に連通している。
その他の構成及び作用効果は、図１２〜図１４で示す第７実施形態と同様である。
【０１２８】
図示の実施形態はあくまでも例示であり、本発明の技術的範囲を限定する趣旨の記述ではない旨を付記する。
【図面の簡単な説明】
【０１２９】
【図１】本発明の第１実施形態の全体構成を示すブロック図。
【図２】本発明の第１実施形態における冷房時の作動状態図。
【図３】本発明の第１実施形態における暖房時の作動状態図。
【図４】本発明の第１実施形態にかかる三重効用・二重効用切替型吸収ヒートポンプによってデューリング線図上に構成された冷房及び暖房サイクル線図。
【図５】本発明の第２実施形態の全体構成を示すブロック図。
【図６】本発明の第３実施形態の全体構成を示すブロック図。
【図７】本発明の第４実施形態の全体構成を示すブロック図。
【図８】本発明の第４実施形態における冷房時の作動状態図。
【図９】本発明の第４実施形態における暖房時の作動状態図。
【図１０】本発明の第５実施形態の全体構成を示すブロック図。
【図１１】本発明の第６実施形態の全体構成を示すブロック図。
【図１２】本発明の第７実施形態の全体構成を示すブロック図。
【図１３】本発明の第７実施形態における冷房時の作動状態図。
【図１４】本発明の第７実施形態における暖房時の作動状態図。
【図１５】本発明の第７実施形態にかかる二重効用吸収ヒートポンプによってデューリング線図上に構成された冷房及び暖房サイクル線図。
【図１６】本発明の第８実施形態の全体構成を示すブロック図。
【図１７】本発明の第９実施形態の全体構成を示すブロック図。
【符号の説明】
【０１３０】
１・・・吸収器
２・・・高温再生器
３・・・中温再生器
４・・・低温再生器
５・・・凝縮器
６・・・蒸発器
７・・・熱源水熱交換器
８・・・室内ユニット
Ａ・・・室内空気
Ｂ１〜Ｂ５・・・第１〜第５の分岐点
Ｈ１〜Ｈ３・・・第１〜第３の熱交換器
Ｇ１〜Ｇ５・・・第１〜第５の合流点
Ｌ１〜Ｌ７、Ｌ１０〜Ｌ１４、Ｌ２１、Ｌ２２、Ｌ３１、Ｌ３２・・・吸収溶液ライン
Ｍ１〜Ｍ９・・・熱源機本体
Ｌｗ・・・冷却水ライン
Ｌｗ２・・・冷却水ライン
Ｐ１・・・第１のポンプ
Ｖ１〜Ｖ４・・・第１〜第４の切換え弁
【図１】
2005274080.tif 000003
【図２】
2005274080.tif 000004
【図３】
2005274080.tif 000005
【図４】
2005274080.tif 000006
【図５】
2005274080.tif 000007
【図６】
2005274080.tif 000008
【図７】
2005274080.tif 000009
【図８】
2005274080.tif 000010
【図９】
2005274080.tif 000011
【図１０】
2005274080.tif 000012
【図１１】
2005274080.tif 000013
【図１２】
2005274080.tif 000014
【図１３】
2005274080.tif 000015
【図１４】
2005274080.tif 000016
【図１５】
2005274080.tif 000017
【図１６】
2005274080.tif 000018
【図１７】
2005274080.tif 000019